(57)【要約】【目的】  タッチパネル面の表示が見えづらくても確実にどの媒体のエジェクトキーであるかを識別できるようにする「電子機器及びその媒体排出方法」を提供することである。【構成】  タッチパネル５０をスライドさせて複数の媒体挿入／排出口６１〜６３をオープンして所定の媒体(CD，DVD，MD)を挿入、排出する電子機器において、媒体挿入／排出口をオープンしたとき、タッチパネル面を分割し、各分割エリアＳＡＲ１〜ＳＡＲ３を所定の媒体の排出用タッチスイッチEJK1〜EJK3として割り当て、タッチパネル面がタッチされたとき、どのタッチスイッチがオンしたかを検出し、オンしたタッチスイッチに応じた媒体を排出する。【選択図】        図１
2006012262.tif 000002
【特許請求の範囲】
【請求項１】
タッチパネルを回動させて媒体挿入／排出口をオープンして媒体を挿入、排出する電子機器において、
媒体挿入／排出口をオープンしたとき、前記タッチパネルを媒体排出用のタッチスイッチにする制御手段、
タッチパネル面がタッチされて前記タッチスイッチがオンしたことを検出する手段、
タッチスイッチがオンした時媒体を排出する媒体排出手段、
を備えたことを特徴とする電子機器。
【請求項２】
前記制御手段は、タッチパネルの全面を媒体排出用のタッチスイッチにし、タッチスイッチがオンした時、前記媒体の排出を媒体排出手段に指示する、
ことを特徴とする請求項1記載の電子機器。
【請求項３】
タッチパネルを回動させて複数の媒体挿入／排出口をオープンして所定の媒体を挿入、排出する電子機器において、
媒体挿入／排出口をオープンしたとき、前記タッチパネル面を分割し、各分割エリアを所定の媒体の排出用タッチスイッチとして割り当てる制御手段、
タッチパネル面がタッチされたとき、どのタッチスイッチがオンしたかを検出する手段、
オンしたタッチスイッチに応じた媒体を排出する媒体排出手段、
を備えたことを特徴とする電子機器。
【請求項４】
前記制御手段は、媒体挿入／排出口の数をn(nは2以上の整数)とするとき、タッチパネル面を少なくともｎ分割し、それぞれの分割エリアを所定の媒体挿入／排出口から排出する媒体の排出用タッチスイッチとして割り当てる、
ことを特徴とする請求項３記載の電子機器。
【請求項５】
前記制御手段は、前記タッチパネル面を横方向に分割したとき、媒体挿入／排出口の並び順と左側からの分割エリアの並び順とを対応付けすることにより、各分割エリアを所定の媒体挿入／排出口から排出する媒体の排出用タッチスイッチとして割り当てる、
ことを特徴とする請求項４記載の電子機器。
【請求項６】
前記制御手段は、前記タッチパネル面を縦方向に分割したとき、媒体挿入／排出口の並び順と上側からの分割エリアの並び順とを対応付けすることにより、各分割エリアを所定の媒体挿入／排出口から排出する媒体の排出用タッチスイッチとして割り当てる、
ことを特徴とする請求項４記載の電子機器。
【請求項７】
前記制御手段は、排出頻度が低い媒体に応じた分割エリアのサイズを小さくする、
ことを特徴とする請求項４記載の電子機器。
【請求項８】
前記制御手段は、右ハンドル車の場合には、前記タッチパネル面を横方向に分割したとき、媒体挿入／排出口の並び順と左側からの分割エリアの並び順とを対応付けすることにより、各分割エリアを所定の媒体挿入／排出口から排出する媒体の排出用タッチスイッチとして割り当て、左ハンドル車の場合には、媒体挿入／排出口の並び順と右側からの分割エリアの並び順とを対応付けすることにより、各分割エリアを所定の媒体挿入／排出口から排出する媒体の排出用タッチスイッチとして割り当てる、
ことを特徴とする請求項４記載の電子機器。
【請求項９】
1つの分割エリアを、媒体挿入／排出口を閉じるためのクローズスイッチとして割り当てることを特徴とする請求項４記載の電子機器。
【請求項１０】
右側の分割エリアを、媒体挿入／排出口を閉じるためのクローズスイッチとして割り当てることを特徴とする請求項５記載の電子機器。
【請求項１１】
前記制御手段は、前記タッチパネル面をマトリクス状に分割し、各分割エリアを所定の媒体挿入／排出口から排出する媒体の排出用タッチスイッチとして割り当てる、
ことを特徴とする請求項４記載の電子機器。
【請求項１２】
前記制御手段は、媒体挿入／排出口のオープン時に再生中の媒体が存在すれば、タッチパネル全面を該媒体の排出用タッチスイッチにする、
ことを特徴とする請求項３記載の電子機器。
【請求項１３】
前記制御手段は、媒体挿入／排出口をオープンする際、1種類の媒体のみが挿入されていれば、タッチパネル全面を該媒体の排出用タッチスイッチにする、
ことを特徴とする請求項３記載の電子機器。
【請求項１４】
タッチパネルを回動させて媒体挿入／排出口をオープンして媒体を挿入、排出する電子機器の媒体排出方法において、
オープンキーの操作によりタッチパネルを回動して媒体挿入／排出口をオープンし、
該オープン時に前記タッチパネルを媒体排出用のタッチスイッチに切り替え、
タッチパネル面がタッチされて該タッチスイッチがオンしたとき媒体を排出する、
ことを特徴とする電子機器の媒体排出方法。
【請求項１５】
タッチパネルの全面を媒体排出用のタッチスイッチにすることを特徴とする請求項１４記載の電子機器の媒体排出方法。
【請求項１６】
タッチパネルを回動させて複数の媒体挿入／排出口をオープンして所定の媒体を挿入、排出する電子機器の媒体排出方法において、
オープンキーの操作によりタッチパネルを回動して媒体挿入／排出口をオープンし、
該オープン時に前記タッチパネル面を分割し、各分割エリアを所定の媒体の排出用タッチスイッチとして割り当て、
タッチパネル面がタッチされたとき、どのタッチスイッチがオンしたかを検出し、
オンしたタッチスイッチに応じた媒体を排出する、
ことを特徴とする電子機器の媒体排出方法。
【請求項１７】
媒体挿入／排出口の数をn(nは2以上の整数)とするとき、タッチパネル面を少なくともｎ分割し、それぞれの分割エリアを所定の媒体挿入／排出口から排出する媒体の排出用タッチスイッチとして割り当てる、
ことを特徴とする請求項１６記載の電子機器の媒体排出方法。
【請求項１８】
媒体挿入／排出口のオープン時に再生中の媒体が存在すれば、タッチパネル全面を該媒体の排出用タッチスイッチにする、
ことを特徴とする請求項１６記載の電子機器の媒体排出方法。
【請求項１９】
媒体挿入／排出口のオープン時に、1種類の媒体のみが挿入されていれば、タッチパネル全面を該媒体の排出用タッチスイッチにする、
ことを特徴とする請求項１６記載の電子機器の媒体排出方法。
【発明の詳細な説明】
【技術分野】
【０００１】
本発明は電子機器及びその媒体排出方法に係わり、特に、タッチパネルを回動させて媒体挿入／排出口を露出させて媒体を挿入、排出する電子機器及びその媒体排出方法に関する。
【背景技術】
【０００２】
車両に搭載される車載用複合電子機器にはナビゲーション機能、ラジオ受信機能、テレビ受信機能、CD再生機能、MD(ミニディスク)再生機能、DVD再生機能等が盛り込まれており、適宜所定の機能に基づいて動作するようになっている。かかる電子機器は、狭い車室内空間に収容する関係上、所定のサイズに納まるように設計する必要がある。このため、表示装置を各機能共通に使用したり、表示装置にタッチパネルを組み付け、機能に応じてタッチスイッチの配列や意味を変えてボタン類の数を減少したりして電子機器の小形化を図っている。また、タッチパネルを備えた操作パネルでCD、DVD、MD等の媒体挿入／排出口を覆い、媒体を挿入あるいは排出する時に該前面パネルをスライドさせて媒体挿入／排出口を露出（オープン）して媒体を挿入、排出する構造になっている(特許文献１参照)。
【０００３】
図２０はかかるパネルのスライド構成を備えた複合電子機器のパネル開閉時の斜視図で、（A）はパネル閉状態、(B)パネル開状態である。（A）に示すように操作パネル１は、タッチパネル２と各種キー類３iを備え、電子機器本体部４に対してスライド可能になっている。タッチパネル２は液晶表示部の上に透明なタッチパネル部材を一体化して構成され、表示部とタッチスイッチの両方の機能を備えている。パネルオープン用のキー、例えばキー３4を操作すると、操作パネルがスライドして閉状態（A）から開状態（B）になる。
操作パネル１が閉じている時には、該操作パネルにより隠れて見えないが、本体部４には（B）に示すようにCD挿入／排出口５、MD挿入／排出口６、DVD挿入／排出口７が設けられ、それぞれの排出口の横に媒体を排出するためのCDエジェクトキー８、MDエジェクトキー９、DVDエジェクトキー１０が設けられている。電子機器本体部４に媒体、例えばCDを挿入するには、該CDをCD挿入／排出口５から押し込めばよい。また、媒体、例えばCDをエジェクトするにはCDエジェクトキー8を操作すればよい。しかし、この図２０の構成ではキー数が多くなり、操作性、コストの面で好ましくない問題がある。
そこで、操作パネル１をオープンした時、図２１に示すようにタッチパネル２の所定エリア（丸内）をCDエジェクト用のタッチスイッチ１１、DVDエジェクト用のタッチスイッチ１２、MDエジェクト用のタッチスイッチ１３、操作パネルクローズ用のタッチスイッチ１４として使用することにより図２０のエジェクトキー８〜１０を削除する方法が提案されている。
【特許文献１】特開２００２−３２４３８６号公報
【発明の開示】
【発明が解決しようとする課題】
【０００４】
タッチパネル２にエジェクト用のタッチスイッチを形成する図２１の方法によれば、キー数を削減できるという効果がある。しかし、この方法では図２２に示すようにタッチパネル２が上向きになり、外光により液晶ディスプレイ（LCD）の視認性が非常に悪くなる。このため、タッチスイッチ１１〜１４として機能するエリア(丸部分)の認識が難しく、特に晴れた日中は見づらく、エジェクト操作を円滑に行なうことができない問題がある。
以上から本発明の目的は、液晶ディスプレイ（LCD）の視認性が悪くても媒体のエジェクトを円滑に行なえるようにすることである。
本発明の別の目的は、タッチパネル面の表示が見えづらくても確実にどの媒体のエジェクトキーであるかを識別できるようにすることである。
【課題を解決するための手段】
【０００５】
上記課題は本発明によれば、タッチパネルを回動させて媒体挿入／排出口をオープンして媒体を挿入、排出する電子機器において、媒体挿入／排出口をオープンしたとき、前記タッチパネルを媒体排出用のタッチスイッチにする制御手段、タッチパネル面がタッチされて前記タッチスイッチがオンしたことを検出する手段、タッチスイッチがオンした時媒体を排出する媒体排出手段を備えた電子機器により達成される。前記制御手段は、タッチパネルの全面を媒体排出用のタッチスイッチにし、タッチスイッチがオンした時、前記媒体の排出を媒体排出手段に指示する。
【０００６】
上記課題は本発明によれば、タッチパネルを回動させて複数の媒体挿入／排出口をオープンして所定の媒体を挿入、排出する電子機器において、媒体挿入／排出口をオープンしたとき、前記タッチパネル面を分割し、各分割エリアを所定の媒体の排出用タッチスイッチとして割り当てる制御手段、タッチパネル面がタッチされたとき、どのタッチスイッチがオンしたかを検出する手段、オンしたタッチスイッチに応じた媒体を排出する媒体排出手段を備えた電子機器により達成される。前記制御手段は、媒体挿入／排出口の数をn(nは2以上の整数)とするとき、タッチパネル面を少なくともｎ分割し、それぞれの分割エリアを所定の媒体挿入／排出口から排出する媒体の排出用タッチスイッチとして割り当てる。また、1つの分割エリアを、媒体挿入／排出口を閉じるためのクローズスイッチに割り当てる。また、前記制御手段は、媒体挿入／排出口のオープン時に再生中の媒体が存在すれば、タッチパネル全面を該媒体の排出用タッチスイッチにする。また、制御手段は、媒体挿入／排出口をオープンする際、1種類の媒体のみが挿入されていれば、タッチパネル全面を該媒体の排出用タッチスイッチにする。
【０００７】
上記課題は本発明によれば、タッチパネルを回動させて媒体挿入／排出口をオープンして媒体を挿入、排出する電子機器の媒体排出方法において、オープンキーの操作によりタッチパネルを回動して媒体挿入／排出口をオープンするステップ、該オープン時に前記タッチパネルを媒体排出用のタッチスイッチに切り替えるステップ、タッチパネル面がタッチされて該タッチスイッチがオンしたとき媒体を排出するステップを備えた電子機器の媒体排出方法により達成される。
上記課題は本発明によれば、タッチパネルを回動させて複数の媒体挿入／排出口をオープンして所定の媒体を挿入、排出する電子機器の媒体排出方法において、オープンキーの操作によりタッチパネルを回動して媒体挿入／排出口をオープンするステップ、該オープン時に前記タッチパネル面を分割し、各分割エリアを所定の媒体の排出用タッチスイッチとして割り当てるステップ、タッチパネル面がタッチされたとき、どのタッチスイッチがオンしたかを検出するステップ、オンしたタッチスイッチに応じた媒体を排出するステップを有する電子機器の媒体排出方法により達成される。
【発明の効果】
【０００８】
本発明によれば、タッチパネル全面をエジェクトキーとして使用するため、液晶ディスプレイ（LCD）の視認性が悪くても確実にどの媒体のエジェクトキーであるかを識別できるようになり、媒体のエジェクト操作を円滑に行なうことができる。
【発明を実施するための最良の形態】
【０００９】
図１は本発明の実施形態を説明するための図である。所定の媒体(CD、DVD、MD)を挿入、排出する際、タッチパネル５０を備えた操作パネル５１をスライドさせて電子機器本体部６０に設けた複数の媒体挿入／排出口（CD挿入／排出口６１、DVD挿入／排出口６2、MD挿入／排出口６３）をオープンする。この媒体挿入／排出口オープン時に、タッチパネル５０の全面を分割し、各分割エリアSAR1〜SAR3を所定の媒体(CD、DVD、MD)の排出用タッチスイッチEJK1〜EJK3に割り当てる。タッチパネル面がタッチされたとき、どのタッチスイッチがオンしたかを検出し、オンしたタッチスイッチに応じた媒体を媒体挿入／排出口６１〜６３から排出する。すなわち、媒体挿入／排出口の数をn(nは2以上の整数で、図1ではｎ＝３)とするとき、タッチパネル面を少なくともｎ分割し、それぞれの分割エリアSAR1〜SAR3をCD、DVD、MD排出用のタッチスイッチEJK1〜EJK3とする。
【実施例１】
【００１０】
図２は操作パネル５１の正面図で、タッチパネル５０とその両側に設けられたキー部５２、５３で構成されている。タッチパネル５０は液晶表示部の上に透明なタッチパネル部材を取り付けて構成され、液晶表示部にナビゲーション地図やオーディオ、テレビ、ＤＶＤなどの操作画面、FM文字多重放送の文字情報等を表示する。キー部５２，５３には各種キーＫ０１〜Ｋ１４が設けられ、電源投入、モード切り替え、ボリューム変更、選局、操作パネルオープンなど必要なコマンド入力するようになっている。
キーＫ１４は操作パネル５１をオープンするためのオープンキーであり、このキーを押下すると、操作パネル５１が図１（A）の閉状態から（B）に示すようにオープンしてCD挿入／排出口６１、DVD挿入／排出口６2、MD挿入／排出口６３が露出する。
【００１１】
このオープン時に媒体、例えばCDを電子機器の再生位置にセットするには、図3に示すようにCD挿入／排出口６１にCDを挿入して押し込めば、制御部(図示せず)は差し込みを検出してCD挿入／排出機構部を制御して該CDを自動的に引き込んで再生位置にセットする。また、操作パネル５１のオープン時、制御部はタッチパネル５０の全面を分割し、各分割エリアSAR1〜SAR3をそれぞれCD、DVD、MDの排出用タッチスイッチ（エジェクトキー）EJK1〜EJK3に割り当てる。これにより、各分割エリアSAR1〜SAR3の全体が、換言すれば、タッチパネルの１／３がそれぞれCD、DVD、MDの排出用タッチスイッチになる。なお、タッチパネル面を横方向に分割したとき、媒体挿入／排出口の上からの並び順（CD→DVD→MD）と左側からの分割エリアSAR1→SAR2→SAR３の並び順とが対応するように、かつ、左側分割エリアから順番にCD排出用タッチスイッチEJK1→DVD排出用タッチスイッチEJK2→MD排出用タッチスイッチEJK3とする。このように、各分割エリアをCD、DVD、MDの排出用タッチスイッチとして割り当てると媒体挿入／排出口と媒体排出用タッチスイッチとの対応を感覚的に容易に把握することができる。又、操作パネル５１のオープン時、CD、DVD、MDが挿入されていれば、挿入済みを示すマークＭＫ１〜ＭＫ３を表示する。
【００１２】
所定の媒体をエジェクトするには、該媒体に対応する分割エリアをタッチして媒体排出用タッチスイッチEJK1〜EJK3をオンすればよい。制御部はタッチパネル面がタッチされたとき、どのタッチスイッチEJK1〜EJK3がオンしたかを検出し、オンしたタッチスイッチに応じた媒体挿入／排出機構部を駆動して媒体挿入／排出口６１〜６３から媒体を排出する。
以上のように、タッチパネルの１／３がCD、DVD、MDの排出用タッチスイッチになるため、液晶ディスプレイの視認性が低下してもユーザは感覚的にCD、DVD、MDの排出用タッチスイッチに対応するエリアを確実に認識でき、円滑に所望の媒体排出を行なうことができる。また、媒体挿入／排出口と媒体排出用タッチスイッチとの対応を感覚的に容易に把握することができ、操作性能を向上することができる。
【００１３】
図４〜図９はタッチパネル面の分割およびCD、DVD、MDの排出用タッチスイッチの割り当て例である。
図４は図3の場合と同様にタッチパネル５０の全面を横方向に同じサイズに３分割し、各分割エリアSAR1〜SAR3をそれぞれCD、DVD、MDの排出用タッチスイッチEJK1〜EJK3に割り当てた例である。ただし、図4では挿入済みを示すマークは表示されない。
図５はタッチパネル５０の全面を縦方向に同じサイズに３分割し、各分割エリアSAR1〜SAR3をそれぞれCD、DVD、MDの排出用タッチスイッチEJK1〜EJK3に割り当てた例である。図５では、タッチパネル面を縦方向に分割したとき、媒体挿入／排出口の上からの並び順（CD→DVD→MD）と上からの分割エリアSAR1→SAR2→SAR３の並び順とが対応するようにし、かつ、上側分割エリアから順番にCD排出用タッチスイッチEJK1→DVD排出用タッチスイッチEJK2→MD排出用タッチスイッチEJK3とする。このように、各分割エリアをCD、DVD、MDの排出用タッチスイッチとして割り当てると媒体挿入／排出口と媒体排出用タッチスイッチとの対応を感覚的に容易に把握することができる。
【００１４】
図６はタッチパネル５０の全面を横方向にサイズを変えて３分割し、各分割エリアSAR1〜SAR3をそれぞれCD、DVD、MDの排出用タッチスイッチEJK1〜EJK3に割り当てた例である。図6では媒体挿入／排出の頻度を考慮し、頻度の少ない媒体に応じた分割エリアのサイズを小さくしている。たとえば、DVDとしてナビゲーション地図用DVDのみを装着する電子機器ではDVDの挿入／排出の頻度は少ない。そこで、DVDの分割エリアのサイズを小さくし、CDとMDの分割エリアのサイズをより大きくしている。これにより、液晶ディスプレイの視認性が低下してもユーザは感覚的にCD、MDの排出用タッチスイッチに対応するエリアをより確実に認識でき、円滑に所望の媒体排出を行なうことができる。
【００１５】
図７はタッチパネル５０の全面を横方向に同じサイズに３分割し、各分割エリアSAR1〜SAR3をそれぞれMD、DVD、CDの排出用タッチスイッチEJK3〜EJK１に割り当てた例であり、スイッチの割り当てを図４と逆順にしている。図４では右ハンドル車を想定して、左側の分割エリアから順番にCD、DVD、MDの排出用タッチスイッチとしたが、左ハンドル車では操作性を考慮すると図７のように各分割エリアSAR3〜SAR１をそれぞれCD、DVD、MDの排出用タッチスイッチEJK1〜EJK3として割り当てた方が感覚的に対応つけが容易になり、操作性能が向上する。
【００１６】
図８はタッチパネル５０の全面を横方向に同じサイズに４分割し、分割エリアSAR1〜SAR3をそれぞれCD、DVD、MDの排出用タッチスイッチEJK1〜EJK3に割り当て、かつ、分割エリア４をクローズ用タッチスイッチ（クローズスイッチ）ＣＬＫに割り当てた例である。これにより、操作パネルを開状態から閉状態にするキーを無くすことができ、しかも、上記3分割の場合と同等の効果を奏することができる。
【００１７】
図９はタッチパネル５０の全面を田の字状(マトリクス状)に同一サイズに４分割し、分割エリアSAR1〜SAR3をそれぞれCD、DVD、MDの排出用タッチスイッチEJK1〜EJK3に割り当て、かつ、分割エリア４をクローズ用タッチスイッチ（クローズスイッチ）ＣＬＫに割り当てた例である。タッチパネル面は凹んでおり、各分割エリアはこの凹んだ角部を備えているため、液晶ディスプレイの視認性が低下してもユーザは感覚的にCD、DVD、MDの排出用タッチスイッチに対応するエリアを確実に認識でき、円滑に所望の媒体排出を行なうことができる。なお、必ずしも分割エリアをクローズスイッチに割り当てる必要はない。
【００１８】
図１０は媒体挿入／排出に関係する電子機器の要部構成図である。タッチパネル５０は、液晶表示部５０ａの上に透明なタッチパネル部材５０ｂを取り付けて構成されている。液晶表示部５０ａはディスプレイ制御部７１の制御でナビゲーション地図やオーディオ、テレビ、ＤＶＤなどの操作画面、FM文字多重放送の文字情報、エジェクトキー画面(図３〜図９参照)等を表示する。パネル操作部７２には、図2で説明したキーK01〜K14が設けられており、所定のコマンドを制御部７３に入力する。タッチスイッチ識別部７４はタッチパネルのタッチ位置と表示部に表示されている画面に基づいていかなるタッチスイッチがオンしたかを識別して制御部７３に入力する。制御部７３はパネル操作部７２やタッチスイッチ識別部７４からの入力や各部の状態に基づいて液晶表示部５０ｂに表示する画面を切り替えると共に、操作パネルの開閉、媒体挿入／排出等の制御を実行する。
【００１９】
パネル開閉駆動部７５は、オープンキーＫ１４(図２参照)が操作されると、制御部７３からの指示により操作パネル５１をスライドさせて図1に示すように閉状態から開状態にする。又、図示しないクローズキーあるいは図８のタッチスイッチＣＬＫがオンすると、制御部７３からの指示により操作パネル５１をスライドさせて開状態から閉状態にする。
CD、DVD、MDの各媒体挿入／排出駆動部７６ａ〜７６ｃは、タッチパネル上の所定の排出用タッチスイッチEJK1〜EJK3がオンすると制御部７３からの指示によりオンした排出用タッチスイッチに応じたCD、DVD、MDの媒体挿入／排出機構部７７ａ〜７７ｃを駆動して媒体を排出する。また、各媒体挿入／排出駆動部７６ａ〜７６ｃは媒体（CD、DVD、MD）が媒体挿入／排出口６１〜６３から押し込まれたとき、制御部７３からの指示により媒体挿入／排出機構部７７ａ〜７７ｃを駆動して媒体を引き込んで再生位置にセットする。
【００２０】
媒体有無検出部７８は、媒体（CD、DVD、MD）が再生位置にセット済みであるか検出して媒体有無検出信号CDDT，DVDDT，MDDTを制御部７３に入力する。制御部７３は該媒体有無検出信号CDDT，DVDDT，MDDTに基づいて媒体有無をタッチパネルに適宜表示する。たとえば、図３のマークＭＫ１〜ＭＫ３を表示する。
媒体挿入検出部７９は各媒体（CD、DVD、MD）が媒体挿入／排出口６１〜６３から押し込まれたことを検出して制御部７３に挿入検出信号CDIS，DVDIS，MDISを入力する。制御部７３は、挿入検出信号CDIS，DVDIS，MDISに基づいて各媒体挿入／排出駆動部７６ａ〜７６ｃに媒体を挿入するよう指示する。
【００２１】
図１１は制御部７３の媒体排出処理フローである。
制御部７３はオープンスイッチＫ１４が操作されたか監視し(ステップ１０１)、該キーが操作されてオープンが指示されると、パネル開閉駆動部７５を制御して操作パネル５１をスライドさせ、図1に示すように閉状態から開状態にする(ステップ１０２)。操作パネル５１のオープン動作が完了すれば(ステップ１０３)、制御部７３はタッチパネル５０の表示を複数媒体のエジェクトキー画面、例えば、図８に示す画面に切り替える(ステップ１０４)。ついで、タッチパネルがタッチされたか監視し(ステップ１０５)、タッチされればタッチスイッチ(エジェクトキー)EJK１〜EJK３のいずれがオンしたか識別し(ステップ106)、識別されたタッチスイッチに応じた媒体挿入／排出駆動部７６ａ〜７６ｃを制御して媒体を媒体挿入／排出口６１〜６３から排出する。
【００２２】
図１２は制御部７３の媒体挿入処理フローである。
制御部７３は媒体挿入検出部７９から入力される信号に基づいて所定の媒体(CD、DVD、MD）が押し込まれたか監視し(ステップ２０１)、媒体が押し込まれると、該媒体に応じた媒体挿入／排出駆動部７６ａ〜７６ｃを制御して再生位置にセットして再生を開始する(ステップ２０２)。ついで、タッチパネル上のクローズ用タッチキー（クローズキー）CLKがオンしたか監視し(ステップ２０３)、オンすればパネル開閉駆動部７５を制御して操作パネル５１をスライドして閉状態にする(ステップ２０４)。以後、制御部７３は液晶表示部50bの表示を所定のモードに応じた画面、たとえば、オーディオ操作画面、ナビゲーション地図画面などに切り替える(ステップ２０５)。
【００２３】
図１３は制御部７３による媒体排出処理の別のフローであり、ステップ１０１〜１０７は図１１のフローと同じである。操作パネルのオープンが完了すれば(ステップ１０３)、オープン指示されたとき再生中であったかチェックし(ステップ３０１)、再生中でなければ以後、図１１と同様の処理を行なう。しかし、再生中であれば、再生中の媒体を交換する確率が高いからタッチパネルの表示を再生していた媒体のエジェクトキー画面、例えば、図１４に示すようにCDエジェクトキー画面に切り替える(ステップ３０２)。以後、タッチパネルがタッチされれば、CDを排出する。以上のようにすれば、タッチパネル全面がCD排出用のタッチスイッチとなるため、視認性が悪くても確実にCDの排出を行なうことができる。
【００２４】
図１５は制御部７３による媒体排出処理の別のフローであり、ステップ１０１〜１０７は図１１のフローと同じである。操作パネルのオープンが完了すれば(ステップ１０３)、再生位置にセットされている媒体は１つであるかチェックし(ステップ４０１)、セットされている媒体が1つでなければ以後、図１１と同様の処理を行なう。しかし、セットされている媒体が１つであれば、排出すべき媒体はその媒体しかないから、該媒体のみのエジェクトキー画面、例えば、図１４に示すようにCDエジェクトキー画面に切り替える(ステップ４０２)。以後、タッチパネルがタッチされれば、セットされているCDを排出する。以上のようにすれば、タッチパネル全面がCD排出用のタッチスイッチとなるため、視認性が悪くても確実にCDの排出を行なうことができる。
【００２５】
図１６は、媒体挿入／排出の頻度を考慮し、頻度の少ない媒体に応じた分割エリアのサイズを小さくする場合(図６参照)の実施例構成図である。制御部７３は、出荷前に排出頻度情報入力部８１から入力される排出頻度情報に基づいてエジェクトキー画面の分割エリアのサイズを決定し、該サイズでエジェクトキー画面を表示する。なお、このサイズは以後固定になる。
図１７は、右ハンドル／左ハンドルに基づいて分割エリアの割り当てを切り替える場合(図4、図７参照)の実施例構成図である。制御部７３は、出荷前に右ハンドル／左ハンドル情報入力部８２から入力されるハンドル情報に基づいてエジェクトキー画面の分割エリアの割り当てを決定し、該割り当てに基づいてエジェクトキー画面を表示する。尚、図４は右ハンドル車の場合、図７は左ハンドル車の場合である。
【実施例２】
【００２６】
第１実施例は複数種の媒体を扱う電子機器の実施例であるが、媒体が１種類(たとえばCD)の電子機器もある。かかる場合には、タッチパネル全面或いはタッパネルの大半をCD排出用のタッチスイッチにする。図１８はかかる第２実施例の構成図であり、図１０の第1実施例と同一部分には同一符号を付している。異なる点は、媒体挿入／排出駆動部７６、媒体挿入／排出機構部７７が１つだけ設けられている点である。
図１９は第２実施例の媒体排出処理フローである。
制御部７３はオープンスイッチＫ１４が操作されたか監視し(ステップ５０１)、該キーが操作されてオープンが指示されると、パネル開閉駆動部７５を制御して操作パネル５１をスライドさせ、閉状態から開状態にする(ステップ５０２)。操作パネル５１のオープン動作が完了すれば(ステップ５０３)、制御部７３はタッチパネル５０の表示を１つの媒体(たとえばCD)のみのエジェクトキー画面(図１４参照)に切り替える(ステップ５０４)。ついで、タッチパネルがタッチされたか監視し(ステップ５０５)、タッチされれば媒体挿入／排出駆動部７６を制御して媒体を媒体挿入／排出口から排出する(ステップ５０６)。
以上の実施例では、媒体をCD、DVD、MDとして説明したが、本発明は媒体の種類や数に限定されるものではなく、半導体記録媒体、カセットテープ等いかなる媒体にも適用できる。また、媒体排出／挿入口を上から順番にCD→ DVD→MDとしたが並び順はこれに限定するものではない。
さらに、以上ではタッチパネルをスライドさせる実施例について説明したが、本発明はスライド機構に限定されるものではなくスライドせずに単にタッチパネルの角度を変える構成、例えば所定の回転軸を中心にタッチパネルを回動する構成、パネル面を前方に突き出してから回動する構成等種々の構成が可能である。
【図面の簡単な説明】
【００２７】
【図１】本発明の実施形態を説明するための図である。
【図２】操作パネルの正面図である。
【図３】オープン時における媒体挿入／排出説明図である。
【図４】タッチパネル面の分割および排出用タッチスイッチの割り当て例である。
【図５】タッチパネル面の分割および排出用タッチスイッチの割り当ての別の例である。
【図６】タッチパネル面の分割および排出用タッチスイッチの割り当ての別の例である。
【図７】タッチパネル面の分割および排出用タッチスイッチの割り当ての別の例である。
【図８】タッチパネル面の分割および排出用タッチスイッチの割り当ての別の例である。
【図９】タッチパネル面の分割および排出用タッチスイッチの割り当ての別の例である。
【図１０】電子機器の媒体挿入／排出に関係する部分の構成図である。
【図１１】媒体排出処理フローである。
【図１２】媒体挿入処理フローである。
【図１３】媒体排出処理の別のフローである。
【図１４】CDエジェクトキー画面例である。
【図１５】媒体排出処理の別のフローである。
【図１６】媒体挿入／排出の頻度を考慮し、頻度の少ない媒体に応じた分割エリアのサイズを小さくする場合の実施例構成図である。
【図１７】右ハンドル／左ハンドルに基づいて分割エリアの割り当てを切り替える場合の実施例構成図である。
【図１８】第２実施例の構成図である。
【図１９】第２実施例の媒体排出処理フローである。
【図２０】従来のパネルスライド構成を備えた複合電子機器のパネル開閉時の斜視図である。
【図２１】タッチパネルの所定エリア部分を媒体排出用のタッチスイッチとする従来例の説明図である。
【図２２】図21の従来例の問題点説明図である。
【符号の説明】
【００２８】
５０  タッチパネル
５１  操作パネル
６０  電子機器本体部
６１  CD挿入／排出口
６２  DVD挿入／排出口
６３  MD挿入／排出口
EJK1〜EJK3  CD、DVD、MD排出用のタッチスイッチ
【図１】
2006012262.tif 000003
【図２】
2006012262.tif 000004
【図３】
2006012262.tif 000005
【図４】
2006012262.tif 000006
【図５】
2006012262.tif 000007
【図６】
2006012262.tif 000008
【図７】
2006012262.tif 000009
【図８】
2006012262.tif 000010
【図９】
2006012262.tif 000011
【図１０】
2006012262.tif 000012
【図１１】
2006012262.tif 000013
【図１２】
2006012262.tif 000014
【図１３】
2006012262.tif 000015
【図１４】
2006012262.tif 000016
【図１５】
2006012262.tif 000017
【図１６】
2006012262.tif 000018
【図１７】
2006012262.tif 000019
【図１８】
2006012262.tif 000020
【図１９】
2006012262.tif 000021
【図２０】
2006012262.tif 000022
【図２１】
2006012262.tif 000023
【図２２】
2006012262.tif 000024